(57)【要約】【課題】  リール状に巻き取ったドレーン材を繰り出しながら軟弱地盤に打設する際に、上記岩盤までの深さの変化に柔軟に対応させてドレーン材の打設長さを変化させることができるように、その不透気部を適切な深さ方向の位置や範囲に形成することができる軟弱地盤改良工法を提供する。【解決手段】  リール状に巻き取ったドレーン材２を繰り出してから軟弱地盤６中に打設するまでの間に、このドレーン材２の打設後の上端部２ａの一定長さ部分を被覆する不透気部４を形成し、ドレーン材２の打設後に、その上端部２ａを減圧手段に通じる集水管１６に連通させるようにした。【選択図】      図１
2007016386.tif 000002
【特許請求の範囲】
【請求項１】
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記リール状に巻き取ったドレーン材を繰り出してから前記軟弱地盤中に打設するまでの間に、このドレーン材の打設後の上端部の一定長さ部分を被覆する不透気部を形成し、
前記ドレーン材の打設後に、その上端部を前記減圧手段に通じる集水管に連通させることを特徴とする軟弱地盤改良工法。
【請求項２】
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、このドレーン材の上端部側から前記透水材内部に不透気性筒部材をその下端部が前記軟弱地盤の所定の地下深さに達するまで挿入し、
前記ドレーン材の上端部側から前記ホースの下端までの深さ範囲におけるこの不透気性筒部材と前記透水材との間の空間に粘性土を充填し、
前記不透気性筒部材の上端部を前記減圧手段に通じる集水管に連通させることを特徴とする軟弱地盤改良工法。
【請求項３】
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、このドレーン材の上端部側から前記透水材内部に不透気性筒部材をその下端部が前記軟弱地盤の所定の地下深さに達するまで挿入し、
前記不透気性筒部材の上端部を前記軟弱地盤の地表上に残したまま、前記ドレーン材の上端部を軟弱地盤中に沈め、
前記不透気性筒部材の上端部を前記減圧手段に通じる集水管に連通させることを特徴とする軟弱地盤改良工法。
【請求項４】
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、不透気性筒部材をその内部にドレーン材が挿通するように一定深さまで前記軟弱地盤中に挿入した後に、
前記不透気性筒部材の上端部を前記減圧手段に通じる集水管に連通させることを特徴とする軟弱地盤改良工法。
【請求項５】
長さ方向に連続する芯材と、この芯材の断面外周を被覆して内部に空間を形成する透水シートを有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の下端部を、マンドレル内に配置される不透気性筒部材に挿通させ、
前記マンドレルで前記ドレーン材を前記軟弱地盤中に挿入すると共に、前記不透気性筒部材をその上端部が地表上に残るように一定深さまで前記軟弱地盤中に挿入し、
前記マンドレルを引上げ、前記ドレーン材を打設長さで切断した後に、
前記不透気性筒部材の上端部を前記減圧手段に通じる集水管に連通させることを特徴とする軟弱地盤改良工法。
【発明の詳細な説明】
【技術分野】
【０００１】
本発明は、透水性のドレーン材を軟弱地盤中に挿入し、このドレーン材内の空間を減圧することにより、軟弱地盤中の水をドレーン材内に流入させて排水する軟弱地盤改良工法に関するものである。
【背景技術】
【０００２】
従来において、図８に示すように、長尺のドレーン材２に対して予定する打設長さごとに、このドレーン材２内の空間と外部との間の通気を遮断する一定長さの不透気部４をドレーン材２の途中に予め形成しておくと共に、このドレーン材２を予めリール状に巻き取っておき、現場において軟弱地盤にドレーン材２を打設する工程の際に、このリール状に巻き取られたドレーン材２を打設長さ分だけ不図示のマンドレルの下降により繰り出すようになっている軟弱地盤改良工法があった（例えば、特許文献１参照）。
【０００３】
この特許文献１の軟弱地盤改良工法では、不図示のマンドレルが、打設長さ分のドレーン材２を軟弱地盤中に挿入することにより、同じ長さ分のドレーン材２がリール状から繰り出され、そこでマンドレルが上昇した後、不透気部４を地表近傍に残してドレーン材２を地盤側とリール状側との間で切り離すようになっている。このようなドレーン材２の打設の作業が、軟弱地盤における打設位置を移動する度に繰返して行なわれるようになっていた。
【０００４】
また、この特許文献１の軟弱地盤改良工法では、打設されたそれぞれのドレーン材２の不透気部４の深さ方向の位置及び範囲が、図９に示すように、軟弱地盤６の地表上の高さ部分と、地表からの所定の深さ部分とを足し合せた部分に合わせられるようになっていた。
【０００５】
ここで、このような特許文献１の軟弱地盤改良工法に用いられるドレーン材２は、例えば図１０に示すように、長さ方向に連続する複数の溝を形成する複数のリブ１２ａが形成された芯材１２と、この芯材１２の複数のリブ１２ａの各先端部を被覆して溝を閉止し、ドレーン材２の内部に複数の空間を形成する透水シート１４（透水材に相当）を有する構造になっている。
【０００６】
この特許文献１の軟弱地盤改良工法では、図９に示すように、打設した各ドレーン材２と集水管１６とを、キャップ１８及び排水ホース２０を介して連通させた後に、集水管１６に通じる不図示の減圧手段によりドレーン材２内の空間を減圧させる工程の作業を行なう。
【０００７】
そして、このようなドレーン材２内の空間を減圧させる工程においては、軟弱地盤６の地表から所定の深さの粘性土の部分を、地表と地中の間の通気を遮断する負圧シール層（経験的に地表から１．５ｍ程度までの深さの部分）として利用すると共に、各ドレーン材２の不透気部４が、各ドレーン材２の地表上の高さ部分、及び地表から所定の深さ（上記１．５ｍ程度）の部分から空気が漏れるのを防いで、気密性を維持するようになっていた。
【特許文献１】特開２００１−２２６９５１号公報
【発明の開示】
【発明が解決しようとする課題】
【０００８】
しかしながら、軟弱地盤６にドレーン材２を打設する工程の際には、例えば打設位置の移動とともに、軟弱地盤６の下層にある図示しない岩盤までの深さが変化することがあり、このような場合は、排水効果を向上させるために、岩盤までの深さの変化に応じドレーン材２の打設長さを変更することが望ましい。前記特許文献１のような軟弱地盤改良工法では、このような場合でも不透気部４の深さ方向の位置や範囲を変更できないため、ドレーン材２の打設長さを変更することができないという問題があった。
【０００９】
そこで本発明は、上記問題点に鑑みて、リール状に巻き取ったドレーン材を繰り出しながら軟弱地盤に打設する際に、上記岩盤までの深さの変化に柔軟に対応させてドレーン材の打設長さを変化させることができるように、その不透気部を適切な深さ方向の位置や範囲に形成することができる軟弱地盤改良工法を提供することを課題とするものである。
【課題を解決するための手段】
【００１０】
上記課題を解決するために本発明は、
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記リール状に巻き取ったドレーン材を繰り出してから前記軟弱地盤中に打設するまでの間に、このドレーン材の打設後の上端部の一定長さ部分を被覆する不透気部を形成し、
前記ドレーン材の打設後に、その上端部を前記減圧手段に通じる集水管に連通させることを特徴とするものである。
【００１１】
また、上記課題を解決するために本発明は、
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、このドレーン材の上端部側から前記透水材内部に不透気性筒部材をその下端部が前記軟弱地盤の所定の地下深さに達するまで挿入し、
前記ドレーン材の上端部側から前記ホースの下端までの深さ範囲におけるこの不透気性筒部材と前記透水材との間の空間に粘性土を充填し、
前記不透気性筒部材の上端部を前記減圧手段に通じる集水管に連通させることを特徴とするものである。
【００１２】
また、上記課題を解決するために本発明は、
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、このドレーン材の上端部側から前記透水材内部に不透気性筒部材をその下端部が前記軟弱地盤の所定の地下深さに達するまで挿入し、
前記不透気性筒部材の上端部を前記軟弱地盤の地表上に残したまま、前記ドレーン材の上端部を軟弱地盤中に沈め、
前記不透気性筒部材の上端部を前記減圧手段に通じる集水管に連通させることを特徴とするものである。
【００１３】
また、上記課題を解決するために本発明は、
長さ方向に連続する芯材と、この芯材の断面外周を被覆して内部に空間を形成する透水材を有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の打設後に、不透気性筒部材をその内部にドレーン材が挿通するように一定深さまで前記軟弱地盤中に挿入した後に、
前記不透気性筒部材の上端部を前記減圧手段に通じる集水管に連通させることを特徴とするものである。
【００１４】
長さ方向に連続する芯材と、この芯材の断面外周を被覆して内部に空間を形成する透水シートを有する長尺のドレーン材を予めリール状に巻き取っておき、このリール状に巻き取ったドレーン材を打設長さ分ずつ繰り出しながら軟弱地盤中に打設し、
前記ドレーン材内の空間を減圧手段により減圧することにより、軟弱地盤中の水を前記ドレーン材内に流入させて排水する軟弱地盤改良工法において、
前記ドレーン材の下端部を、マンドレル内に配置される不透気性筒部材に挿通させ、
前記マンドレルで前記ドレーン材を前記軟弱地盤中に挿入すると共に、前記不透気性筒部材をその上端部が地表上に残るように一定深さまで前記軟弱地盤中に挿入し、
前記マンドレルを引上げ、前記ドレーン材を打設長さで切断した後に、
前記不透気性筒部材の上端部を前記減圧手段に通じる集水管に連通させることを特徴とするものである。
【発明の効果】
【００１５】
このような本発明の軟弱地盤改良工法によれば、リール状に巻き取ったドレーン材を繰り出しながら軟弱地盤に打設する際に、上記岩盤までの深さの変化に柔軟に対応させてドレーン材の打設長さを変化させることができるように、その不透気部を適切な深さ方向の位置や範囲に形成することができる。
【発明を実施するための最良の形態】
【００１６】
以下、本発明に係る軟弱地盤改良工法の実施の形態について、図面に基づいて具体的に説明する。
【００１７】
本発明の第１の実施の形態に係る軟弱地盤改良工法について、以下に具体的に説明する。この実施の形態は、特許請求の範囲の請求項１に対応するものである。
【００１８】
図１ないし図３は、本発明の第１の実施の形態に係る軟弱地盤改良工法について説明するために参照する図である。これらの図において、前記特許文献１の軟弱地盤改良工法に用いた部材と同様の部材には同じ符号を付して説明し、同様の構成についての重複する説明は省略するものとする。
【００１９】
本実施の形態に係る軟弱地盤改良工法では、ドレーン材２を軟弱地盤６に打設する工程において、図１に示すように、予めリール状に巻き取ったものから繰り出されたドレーン材２が、不図示のマンドレルにより打設長さ分ずつ軟弱地盤６中に打設されるまでの間に、所定の位置で停止して一定長さの不透気部４が形成されるようになっている。
【００２０】
この不透気部４は、例えば図２に示すように、塩化ビニール材等のような気密性を有する合成樹脂膜材をドレーン材２に巻付けて形成する。図１中に示す不透気部４の後端が、ドレーン材２の打設時の切断位置になる。打設長さ分のドレーン材２に対して不透気部４を形成した後は、引続きこのドレーン材２を、不図示のマンドレルで軟弱地盤６中に打設する。
【００２１】
打設したドレーン材２は、図３の（ａ）に示すように、その上端部２ａに一定長さの不透気部４が位置するようになるため、地表上の高さ部分、及び地表からの所定の深さ部分で、気密性を維持するようになる。また、不透気部４は一定長さを有しているため、その下端の位置よりも浅い深さの軟弱地盤６の粘性土を、負圧シール層として利用することができるようになっている。
【００２２】
ドレーン材２を打設した後、このドレーン材２の上端部２ａを、図３の（ｂ）に示すように、このドレーン材２の打設後に敷設した集水管１６に連結する。そして、この集水管１６に通じる不図示の減圧手段によりドレーン材２内の空間を減圧することにより、真空圧によって軟弱地盤６中の水をドレーン材２内に流入させて排水させる。
【００２３】
このような本実施の形態に係る軟弱地盤改良工法によれば、予めリール状に巻き取ったドレーン材２から打設長さ分のドレーン材２を繰り出しながら軟弱地盤６中に打設するまでの間に、所定の位置で停止させて不透気部４を形成するようになっているため、リール状に巻き取ったドレーン材２を繰り出しながら軟弱地盤６に打設する際に、例えば、直前に何回か打設したドレーン材２の実際の打設長さ等を参考にすること等により、次に打設するドレーン材２の打設長さが大体推測できるので、次に打設するドレーン材２の打設長さを変更させて、その不透気部４をドレーン材２の適切な深さ方向の位置や範囲に来るように形成することができる。
【００２４】
次に、図４に基づいて、本発明の第２の実施の形態に係る軟弱地盤改良工法について説明する。この実施の形態は、特許請求の範囲の請求項２に対応するものである。
【００２５】
本実施の形態に係る軟弱地盤改良工法では、図４の（ａ）に示すように、第１の実施の形態に係る不透気部４等が被覆されていないドレーン材２を、その上端部２ａを軟弱地盤６の地表上に残すように打設する。
【００２６】
ここで、このドレーン材２は、図示しないが、リール状に巻き取った長尺のドレーン材２から打設長さ分が繰り出されて、不図示のマンドレルにより打設されたものである。また、ドレーン材２における透水シート１４の内部の芯材１２は、後で説明する図４の（ｂ）以降において、図面が複雑化しないようにするため図示していない。
【００２７】
次に、図４の（ｂ）に示すように、打設したドレーン材２の上端部２ａ側から透水シート１４内に、不透気性筒部材としてホース３２を挿入する。ここで、ホース３２は、その下端部３２ａよりも浅い深さの軟弱地盤６の粘性土を、負圧シール層として利用することができるような所定の地下深さまで挿入する。また、このホース３２は、その下端部３２ａから上端部３２ｂまでの長さ範囲において、このホース３２の長さ方向に直角の断面の内部と外部の間の通気が遮断されているものを用いるようにする。このようなホース３２としては、例えばビニール製やゴム製のもの、又は通気を遮断することができる布製のものを用いることができる。
【００２８】
ホース３２を挿入した後は、図４の（ｃ）に示すように、ドレーン材２の上端部２ａ側から透水シート１４内に粘性土３４を流し込み、ホース３２の下端部３２ａまでの深さ範囲におけるこのホース３２と透水シート１４との間の空間を粘性土３４で充填し、それから図４の（ｄ）に示すように、ドレーン材２の打設後に敷設した集水管１６にホース３２の上端部３２ｂを連結する。
【００２９】
そして、打設した全てのドレーン材２について、このドレーン材２の透水シート１４内に挿入したホース３２の上端部３２ｂを最寄りの集水管１６に連結した後、この集水管１６に通じる不図示の減圧手段によりドレーン材２内を減圧することにより、真空圧によって軟弱地盤６中の水をドレーン材２内に流入させて排水させる。
【００３０】
このような本実施の形態に係る軟弱地盤改良工法によれば、ホース３２と透水シート１４との間の空間に充填した粘性土３４が不透気部を形成するようになるため、リール状に巻き取ったドレーン材２を繰り出しながら軟弱地盤６に打設するようにしても、ドレーン材２の打設長さを変化させることができるように、その不透気部を適切な深さ方向の位置や範囲に形成することができる。
【００３１】
次に、図５に基づいて、本発明の第３の実施の形態に係る軟弱地盤改良工法について説明する。この実施の形態は、特許請求の範囲の請求項３に対応するものである。
【００３２】
本実施の形態に係る軟弱地盤改良工法では、前記第２の実施の形態と同様に、打設したドレーン材２の上端部２ａ側から透水シート１４内にホース３２を挿入（図５の（ａ）及び（ｂ）参照）した後、図５の（ｃ）に示すように、ホース３２の上端部３２ｂを地表上に残したまま、図示しない、柄の先端が二股状に形成された刺股等を用いて、ドレーン材２の上端部２ａを折り曲げて軟弱地盤６中に沈める。
【００３３】
そして、図５の（ｄ）に示すように、打設した全てのドレーン材２について、このドレーン材２の透水シート１４内に挿入したホース３２の上端部３２ｂを最寄りの集水管１６に連結した後、前記第２の実施の形態と同様に、この集水管１６に通じる不図示の減圧手段によりドレーン材２内を減圧することにより、真空圧によって軟弱地盤６中の水をドレーン材２内に流入させて排水させる。
【００３４】
このような本実施の形態に係る軟弱地盤改良工法によれば、ホース３２がそのまま不透気部を形成するようになるため、リール状に巻き取ったドレーン材２を繰り出しながら軟弱地盤６に打設するようにしても、ドレーン材２の打設長さを変化させることができるように、その不透気部を適切な深さ方向の位置や範囲に形成することができる。
【００３５】
次に、図６に基づいて、本発明の第４の実施の形態に係る軟弱地盤改良工法について説明する。この実施の形態は、特許請求の範囲の請求項４に対応するものである。
【００３６】
本実施の形態に係る軟弱地盤改良工法では、図６の（ａ）に示すように、ドレーン材２を前記第２の実施の形態と同様に打設した後に、図６の（ｂ）に示すように、不透気性筒部材としてパイプ材３６を、その内部に打設したドレーン材２が挿通するように軟弱地盤６中に挿入する。
【００３７】
ここで、パイプ材３６は、その上端部３６ａを地表上に残しておくと共に、その下端部３６ｂを、それよりも浅い深さの軟弱地盤６の粘性土を、負圧シール層として利用することができるような深さまで挿入する。また、パイプ材３６は、その上端部３６ａから下端部３６ｂまでの長さ範囲において、このパイプ材３６の長さ方向に直角の断面の内部と外部の間の通気が遮断されているものを用いるようにする。このようなパイプ材３６としては、塩化ビニール製、ビニールシート製又はゴム製等のものを用いることができる。
【００３８】
パイプ材３６を軟弱地盤６中に挿入した後には、図６の（ｃ）に示すように、このパイプ材３６の上端部３６ａにキャップ３８を嵌合させ、ホース４０の一方の端部４０ａをこのキャップ３８に挿通して、パイプ材３６とホース４０を連通させると共に、図６の（ｄ）に示すように、ホース４０の他方の端部４０ｂを集水管１６に連結する。
【００３９】
そして、全てのパイプ材３６について、そのホース４０の端部４０ｂを最寄りの集水管１６に連通させた後、前記第２の実施の形態と同様に、この集水管１６に通じる不図示の減圧手段によりドレーン材２内を減圧することにより、真空圧によって軟弱地盤６中の水をドレーン材２内に流入させて排水させる。
【００４０】
このような本実施の形態に係る軟弱地盤改良工法によれば、パイプ材３６が不透気部を形成するようになるため、リール状に巻き取ったドレーン材２を繰り出しながら軟弱地盤６に打設するようにしても、ドレーン材２の打設長さを変化させることができるように、その不透気部を適切な深さ方向の位置や範囲に形成することができる。
【００４１】
次に、図７に基づいて、本発明の第５の実施の形態に係る軟弱地盤改良工法について説明する。この実施の形態は、特許請求の範囲の請求項５に対応するものである。
【００４２】
本実施の形態においては、図７の（ａ）に示すように、ドレーン材２の打設の直前にマンドレル４２内にパイプ材３６を配置し、このパイプ材３６をマンドレル４２内に吊り下げられた吊りワイヤー４４の下端にフック等を用いて引っ掛け、軟弱地盤６の地表からの高さを固定しておくようにする。また、ドレーン材２の下端部２ｂを、パイプ材３６に挿通させておく。
【００４３】
ここまでの準備が整った後、図７の（ｂ）に示すように、マンドレル４２でドレーン材２を軟弱地盤６中に挿入する。また、ドレーン材２を軟弱地盤６中に挿入する際には、吊りワイヤー４４を弛めてパイプ材３６を降ろすことにより、このパイプ材３６が、その上端部３６ａを地表上に残して軟弱地盤６の一定深さまで挿入されるようにする。パイプ材３６は、軟弱地盤６の一定深さまで挿入されることにより、その下端部３６ｂよりも浅い深さの軟弱地盤６の粘性土を、負圧シール層として利用することができるようになる。
【００４４】
そして、図７の（ｃ）に示すように、ドレーン材２を軟弱地盤６中に残してマンドレル４２を引上げた後、ドレーン材２は、打設した長さ部分を切り離すようにする。
【００４５】
このような作業の後に、前記第４の実施の形態と同様に、全てのパイプ材３６を、図７の（ｄ）及び（ｅ）に示すように、キャップ３８及びホース４０を介して最寄りの集水管１６に連通させた後、この集水管１６に通じる不図示の減圧手段によりドレーン材２内を減圧することにより、真空圧によって軟弱地盤６中の水をドレーン材２内に流入させて排水させる。
【００４６】
このような本実施の形態に係る軟弱地盤改良工法によれば、前記第４の実施の形態と同様に、パイプ材３６が不透気部を形成するようになるため、リール状に巻き取ったドレーン材２を繰り出しながら軟弱地盤６に打設するようにしても、ドレーン材２の打設長さを変化させることができるように、その不透気部を適切な深さ方向の位置や範囲に形成することができる。
【００４７】
なお、前記第１の実施の形態では、ドレーン材２に合成樹脂膜材を巻付けることにより、不透気部４を形成するようにしたが、ドレーン材２の外周に塗料等を塗布することにより、不透気部４を形成するようにしてもよい。
【００４８】
また、前記第２ないし第５の実施の形態では、リール状に巻き取ったドレーン材２を打設長さ分ずつ繰り出しながら打設するようにしていたが、当初から打設長さに切断されたドレーン材２を打設するようにしてもよい。
【００４９】
また、前記第２の実施の形態では、図４に示すように、ドレーン材２の透水シート１４内に不透気性筒部材としてホース３２を挿入するようになっていたが、このホース３２の代わりに、図示しないが例えばドレーン材２の透水シート１４内に挿入することができる程度の外径寸法を有するパイプ材等を挿入するようにしてもよい。また、図示しないが、ドレーン材２の透水シート１４内に、ホース３２の代わりにパイプ材等を挿入したような場合には、この不図示のパイプ材等の上端部に、ホース３２とは別個のホース等を連結することにより、集水管１６に連通させることができる。
【図面の簡単な説明】
【００５０】
【図１】本発明の第１の実施の形態に係る軟弱地盤改良工法に使用するリール状のドレーン材２と、このドレーン材２の途中に形成される不透気部４を示す概略図である。
【図２】図１に示すドレーン材２及び不透気部４のＢ−Ｂ線矢視の断面概略図である。
【図３】本発明の第１の実施の形態に係る軟弱地盤改良工法のドレーン材２の打設後の施行手順を（ａ）及び（ｂ）に示す概略図である。
【図４】本発明の第２の実施の形態に係る軟弱地盤改良工法の施行手順を（ａ）から（ｄ）に示す概略図である。
【図５】本発明の第３の実施の形態に係る軟弱地盤改良工法の施行手順を（ａ）から（ｄ）に示す概略図である。
【図６】本発明の第４の実施の形態に係る軟弱地盤改良工法の施行手順を（ａ）から（ｄ）に示す概略図である。
【図７】本発明の第５の実施の形態に係る軟弱地盤改良工法の施行手順を（ａ）から（ｅ）に示す概略図である。
【図８】従来の軟弱地盤改良工法に使用するリール状のドレーン材２を示す概略図である。
【図９】従来の軟弱地盤改良工法に使用するドレーン材２、集水管１６、キャップ１８、及び排水ホース２０を示す概略図である。
【図１０】図９に示すドレーン材２のＡ−Ａ線矢視の断面概略図である。
【符号の説明】
【００５１】
２  ドレーン材
２ａ  上端部
２ｂ  下端部
４  不透気部
６  軟弱地盤
１２  芯材
１２ａ  リブ
１４  透水シート
１６  集水管
１８  キャップ
２０  排水ホース
３２  ホース
３２ａ  下端部
３２ｂ  上端部
３４  粘性土
３６  パイプ材
３６ａ  上端部
３６ｂ  下端部
３８  キャップ
４０  ホース
４０ａ，４０ｂ  端部
４２  マンドレル
４４  吊りワイヤー
【図１】
2007016386.tif 000003
【図２】
2007016386.tif 000004
【図３】
2007016386.tif 000005
【図４】
2007016386.tif 000006
【図５】
2007016386.tif 000007
【図６】
2007016386.tif 000008
【図７】
2007016386.tif 000009
【図８】
2007016386.tif 000010
【図９】
2007016386.tif 000011
【図１０】
2007016386.tif 000012